(57)【要約】【課題】次の撮影指示が早く行われても、動画像の再生時間に応じた適切な長さの音声データを取得すること。【解決手段】デジタルカメラは、撮影指示の前後で撮像された複数のフレーム画像を取得する画像取得部１２、１３と、画像取得部１２、１３で取得された複数のフレーム画像に基づいて動画像データを生成する動画像データ生成部１８と、動画像データに対応する音声を所定のタイミングで取得する音声取得部１９、２１と、音声取得部１９、２１によって所定のタイミングで取得される音声の取得期間が動画像データの再生時間より短い場合に、音声取得部１９、２１により所定のタイミングと異なるタイミングで取得される音声を用いて動画像データに対応する音声を補う音声制御部１８と、を備える。【選択図】図１
2014239397.tif 000002
【特許請求の範囲】
【請求項１】
撮影指示の前後で撮像された複数のフレーム画像を取得する画像取得部と、
前記画像取得部で取得された前記複数のフレーム画像に基づいて動画像データを生成する動画像データ生成部と、
前記動画像データに対応する音声を所定のタイミングで取得する音声取得部と、
前記音声取得部によって前記所定のタイミングで取得される前記音声の取得期間が前記動画像データの再生時間より短い場合に、前記音声取得部により前記所定のタイミングと異なるタイミングで取得される音声を用いて前記動画像データに対応する音声を補う音声制御部と、
を備えることを特徴とするデジタルカメラ。
【請求項２】
請求項１に記載のデジタルカメラにおいて、
前記動画像データ生成部は、前記画像取得部による取得時の第１フレームレートより低速の第２フレームレートで再生されるスローモーション動画像データを生成することを特徴とするデジタルカメラ。
【請求項３】
請求項２に記載のデジタルカメラにおいて、
前記動画像データ生成部は、前記撮影指示の第１所定時間前から前記撮影指示の第２所定時間後までの間に前記画像取得部で取得された前記複数のフレーム画像に基づいて前記スローモーション動画像データを生成することを特徴とするデジタルカメラ。
【請求項４】
請求項３に記載のデジタルカメラにおいて、
前記音声取得部は、前記撮影指示の前記第１所定時間前から前記撮影指示の第３所定時間後までの間に前記音声を取得することを特徴とするデジタルカメラ。
【請求項５】
請求項４に記載のデジタルカメラにおいて、
前記音声制御部は、前記撮影指示後の前記第３所定時間が経過する前に次の撮影指示があった場合に、前記撮影指示の前記第１所定時間前よりさらに前から前記次の撮影指示があった時点までの間に前記音声を取得するように、前記音声取得部を制御することを特徴とするデジタルカメラ。
【請求項６】
請求項１に記載のデジタルカメラにおいて、
前記動画像データに基づいて動画再生を行う動画再生部と、
前記動画再生部による動画再生時に前記音声取得部で取得された音声のデータに基づいて音響再生を行う音響再生部と、を備え、
前記音声制御部は、前記音響再生部による音響再生時間が前記動画再生部による前記動画再生時間より短い場合において、異なる撮影指示に基づいて取得された音声のデータを用いて音響再生するように前記音響再生部を制御することを特徴とするデジタルカメラ。
【請求項７】
請求項６に記載のデジタルカメラにおいて、
前記音声制御部は、前記異なる撮影指示に基づいて取得された音声のデータのうち、前記動画再生部が動画再生する前記動画像データに最も取得時刻が近い音声のデータを用いて音響再生するように前記音響再生部を制御することを特徴とするデジタルカメラ。
【発明の詳細な説明】
【技術分野】
【０００１】
本発明は、デジタルカメラに関する。
【背景技術】
【０００２】
撮影指示に応じた静止画像、およびこの静止画像に対応するスローモーション動画像を取得するとともに、これらの再生時間に応じた音声データを記録する撮像装置が知られている（特許文献１参照）。
【先行技術文献】
【特許文献】
【０００３】
【特許文献１】特開２０１３−５５４４０号公報
【発明の概要】
【発明が解決しようとする課題】
【０００４】
従来技術では、再生時間に応じた音声データを取得し終える前に次の撮影指示が行われると、音声取得期間の終期が早まって、音声データが再生時間に対して短くなってしまうおそれがある。
【課題を解決するための手段】
【０００５】
本発明によるデジタルカメラは、撮影指示の前後で撮像された複数のフレーム画像を取得する画像取得部と、画像取得部で取得された複数のフレーム画像に基づいて動画像データを生成する動画像データ生成部と、動画像データに対応する音声を所定のタイミングで取得する音声取得部と、音声取得部によって所定のタイミングで取得される音声の取得期間が動画像データの再生時間より短い場合に、音声取得部により所定のタイミングと異なるタイミングで取得される音声を用いて動画像データに対応する音声を補う音声制御部と、を備えることを特徴とする。
【発明の効果】
【０００６】
本発明によるデジタルカメラでは、動画像の再生時間に応じた適切な長さの音声データを取得できる。
【図面の簡単な説明】
【０００７】
【図１】本発明の一実施の形態によるデジタルカメラの要部構成を例示するブロック図である。
【図２】図２(a)は記録用の音声データの取得終了予定時刻まで次の撮影指示が行われない場合を説明する図、図２(b)は記録用の音声データの取得予定終了時刻前に、次の撮影の指示が行われる場合を説明する図である。
【図３】スロー再生動画モード時の撮影処理において制御回路が実行する処理の流れを説明するフローチャートである。
【図４】再生時において、スロー再生動画データの再生が指示された場合の再生タイミングを説明する図である。
【図５】再生時においてスロー動画再生する制御回路が実行する処理の流れについて説明するフローチャートである。
【発明を実施するための形態】
【０００８】
以下、図面を参照して本発明を実施するための形態について説明する。本実施の形態によるデジタルカメラは、通常の動画像を撮影する動画モードと別に、スロー再生用の動画像を撮影するスロー再生動画モードを有する。スロー再生動画モードは、撮影指示の前後においてスロー再生のための動画像を取得しながら、上記撮影指示に対応する静止画像を取得するモードである。動画像取得時には、再生時間に応じた音声も取得する。
【０００９】
ここで、動画像とは、撮影時のフレームレートと同じフレームレート（本例では６０ｆｐｓ）で再生する動画像をいう。これに対し、スロー再生動画像とは、撮影時のフレームレートより遅いフレームレート（本例では２４ｆｐｓ）でゆっくり再生する動画像をいう。スロー再生動画モードで取得したスロー再生のための動画像をスロー再生するとき、スロー再生する動画像とともに取得した音声を再生する。なお、音声の再生速度は取得時と等速である。本実施形態は、このようなスロー再生動画モードに特徴を有するので、以降の説明はスロー再生動画モードを中心に行う。
【００１０】
＜ブロック図の説明＞
図１は、本発明の一実施の形態によるデジタルカメラの要部構成を例示するブロック図である。デジタルカメラは、撮像光学系１１と、撮像素子１２と、フレームバッファメモリ１３と、画像処理部１４と、表示部１５と、ビデオ／オーディオエンコード／デコード部１６と、操作部材１７と、制御回路１８と、マイク１９と、マイクアンプ２０と、音声バッファメモリ２１と、音声再生部２２と、を備えるとともに、着脱可能な外部メモリ３０が装着される。外部メモリ３０は、例えばメモリカードによって構成される。
【００１１】
撮像光学系１１は、ズームレンズやフォーカシングレンズを含む複数のレンズ群で構成される。この撮像光学系１１は、被写体像を撮像素子１２の撮像面に結像させる。なお、図１を簡単にするため、撮像光学系１１を単レンズとして図示している。
【００１２】
撮像素子１２は、ＣＭＯＳイメージセンサなどによって構成される。撮像素子１２は、被写体像を光電変換して画像信号を生成する。画像信号は、不図示のＡ／Ｄ変換部でデジタル信号に変換され、フレームバッファメモリ１３に一時記憶される。フレームバッファメモリ１３は、所定数のフレーム画像を蓄積する容量を備えており、フレーム画像の蓄積数が所定数に達した後は、古いフレーム画像を削除して新しいフレーム画像を記憶しながらフレーム画像を蓄積する。
【００１３】
本実施形態では、撮像素子１２から所定のフレームレート（例えば６０ｆｐｓ）で出力される複数のフレーム画像をフレームバッファメモリ１３に記憶する。各フレームの画像は、例えばＨＤＴＶ（高精細度テレビジョン）規格（例えば１９２０×１０８０ピクセル）の画素数を有する。
【００１４】
画像処理部１４は、フレームバッファメモリ１３から読み出された画像データに対して各種の画像処理（画素補間処理、階調変換処理、輪郭強調処理、ホワイトバランス調整処理など）を施し、ビデオ／オーディオエンコード／デコード部１６に出力する。
【００１５】
表示部１５は、デジタルカメラのボディ背面に設けられる液晶モニタによって構成される。表示部１５は、ビデオ／オーディオエンコード／デコード部１６から出力される映像信号に基づいて、撮像素子１２によって取得された画像、外部メモリ３０に記録されている画像ファイルに基づく再生画像（動画像データに基づく動画像、スロー再生動画データに基づくスローモーション動画像、静止画像データに基づく静止画像）、またはデジタルカメラの機能を設定するためのメニュー画面などを表示する。
【００１６】
ビデオ／オーディオエンコード／デコード部１６は、撮影時において、画像処理部１４から出力された画像処理後の画像データに対してビデオエンコード処理を行う。ここで、動画像の解像度を静止画の場合に比べて低くする場合には、ビデオ／オーディオエンコード／デコード部１６が、ビデオエンコード処理の際にフレーム画像データに対して精細度を下げる解像度変換（リサイズ）処理を行う。そして、リサイズ後の動画像に対し、動画像用の画像処理および圧縮処理を施すことによって動画像データやスロー再生動画像のデータを生成する。
【００１７】
また、ビデオ／オーディオエンコード／デコード部１６は、音声バッファメモリ２１から読み出された音声データに対してオーディオエンコード処理を行う。このようにエンコード処理されたビデオデータおよびオーディオデータは、外部メモリ３０に記録される。
【００１８】
ビデオ／オーディオエンコード／デコード部１６はさらに、再生時において、外部メモリ３０から読み出されたビデオデータに対してビデオデコード処理を行うとともに、外部メモリ３０から読み出されたオーディオデータに対してオーディオデコード処理を行う。ビデオデコード処理後の映像信号は、表示部１５へ送られる。また、オーディオデコード処理後の音声信号は、音声再生部２２へ送られる。
【００１９】
操作部材１７は、不図示のシャッターボタンやモード切り替えスイッチなどを含む。操作部材１７は、各ボタンやスイッチが操作されると、操作に応じた操作信号を制御回路１８へ送出する。制御回路１８は、マイクロプロセッサやワークメモリ、不揮発性メモリなどにより構成される。制御回路１８は、不揮発性メモリに記録されているプログラムを実行することにより、デジタルカメラの各部の動作を制御する。
【００２０】
マイク１９は、集音した音を電気信号に変換する。マイクアンプ２０は、マイク１９から送出された電気信号（音声信号）を増幅、Ａ／Ｄ変換して音声バッファメモリ２１に出力する。音声バッファメモリ２１は、Ａ／Ｄ変換後の音声データを蓄積する。音声バッファメモリ２１は、所定時間の音声データを蓄積する容量を備えており、蓄積音声データが所定時間に達した後は、古い音声データを削除して新しい音声データを記録しながら音声データを蓄積する。音声バッファメモリ２１に蓄積された音声データは、ビデオ／オーディオエンコード／デコード部１６に出力される。
【００２１】
音声再生部２２は、再生アンプおよびスピーカで構成される。音声再生部２２は、ビデオ／オーディオエンコード／デコード部１６から出力される音声信号に基づいて、マイク１９によって集音された音声、または外部メモリ３０に記録されている音声ファイルに基づく音声を音響再生する。
【００２２】
操作部材１７を構成するモード切り替えスイッチの操作によってスロー再生動画モードに切替えられた制御回路１８は、上記構成を有することにより、フレームバッファメモリ１３に記憶された動画像のフレームレート（第１フレームレート：６０ｆｐｓ）より遅い、第２フレームレート（２４ｆｐｓ）で再生するためのスロー動画像データを生成する。
【００２３】
また、制御回路１８は、フレームバッファメモリ１３に記憶された複数のフレーム画像に基づいて、１コマの静止画像データを生成する。生成する静止画像データは、ＲＡＷ形式でもＪＰＥＧ形式でもよい。そして、生成したスロー動画像データおよび静止画像データを、互いに関連付けて外部メモリ３０に記録する。
【００２４】
制御回路１８はさらに、音声バッファメモリ２１に記憶された音声データから、上記スロー動画像および静止画像を表示部１５に再生表示する際に音響再生するための音声データを抽出し、上記スロー再生動画像データに関連付けて外部メモリ３０に記録する。
【００２５】
本実施形態では、外部メモリ３０に記録する記録音声の時間を、スロー再生動画像のスロー再生時間と同じにする例を説明するが、記録音声の時間をスロー再生時間より長くしてもよい。例えば、スロー再生動画像の再生後に静止画像を表示させる場合には、記録音声の時間を、上記スロー再生時間＋静止画再生時間としてもよい。
【００２６】
＜取得タイミングの説明＞
以下、図２を参照してスロー再生動画モードにおける画像および音声の取得タイミングを説明する。
−図２(a)の説明−
図２(a)は、スロー再生動画モード時の撮影処理において、記録用の音声データの取得終了予定時刻まで次の撮影の指示（シャッターボタンの半押し操作）が行われない場合を説明する図である。図２(a)において、時刻ｔ０にシャッターボタンの半押し操作を示す半押し操作信号が入力されると、制御回路１８は、レリーズ待機処理を開始させる。レリーズ待機処理は、撮像素子１２に６０ｆｐｓのフレームレートで被写体像を撮像させながら、取得される画像信号に基づいて露出演算（ＡＥ）やフォーカス調節（ＡＦ）を行うとともに、取得した画像データをフレームバッファメモリ１３の動画用領域に逐次記憶させる（プリキャプチャ）処理である。
【００２７】
フレームバッファメモリ１３のメモリ容量は、例えば３００フレーム分が確保されている。制御回路１８は、時刻ｔ０以降にフレームバッファメモリ１３に記憶されたフレーム画像のフレーム数が上記３００フレームに達した場合には、古いフレーム画像から順に上書き消去させる。これにより、プリキャプチャで使用するフレームバッファメモリ１３のメモリ容量を抑えられる。
【００２８】
また、制御回路１８は、上記レリーズ待機処理の開始とともに音声バッファリングも開始させる。音声バッファリングは、マイクアンプ２０から出力される音声データを音声バッファメモリ２１に逐次記憶させる処理である。音声バッファメモリ２１のメモリ容量は、例えば１０秒間の音声を蓄積する容量が確保されている。制御回路１８は、時刻ｔ０以降に音声バッファメモリ２１に記憶された音声の蓄積時間が上記１０秒に達した場合には、古い音声から順に上書き消去させる。これにより、音声バッファリングで使用する音声バッファメモリ２１のメモリ容量を抑えられる。
【００２９】
時刻ｔ１において、シャッターボタンの全押し操作を示す全押し操作信号が入力されると、制御回路１８は、レリーズ処理を開始させる。レリーズ処理では、全押し操作信号に応じて撮像素子１２で撮像されたフレーム画像をフレームバッファメモリ１３の静止画用領域に記憶させる。
【００３０】
制御回路１８はさらに、時刻ｔ１以後も撮像素子１２に６０ｆｐｓのフレームレートで被写体像を撮像させ、取得した画像データをフレームバッファメモリ１３の動画用領域に逐次記憶させる（ポストキャプチャ）。
【００３１】
そして、時刻ｔ１より第１所定時間（例えば１秒）前から時刻ｔ１までにフレームバッファメモリ１３に記憶された複数のフレーム画像、および時刻ｔ１から時刻ｔ１より第２所定時間（例えば０．６秒）経過後までにフレームバッファメモリ１３に記憶された複数のフレーム画像（キャプチャ）に基づいて、制御回路１８がスロー再生動画データを生成する。すなわち、時刻ｔ１を挟む１．６秒間にフレームバッファメモリ１３に記憶された複数のフレーム画像に基づいてフレームレート変換を行い、再生時間が４秒間のスロー再生動画データを生成する。
【００３２】
一方、制御回路１８は、全押し操作信号に応じて撮像素子１２で撮像され、フレームバッファメモリ１３の静止画用領域に記憶されているフレーム画像に基づいて、静止画像データを生成する。
【００３３】
制御回路１８はさらに、時刻ｔ１より第１所定時間（例えば１秒）前から時刻ｔ１より第３所定時間（本例では３秒）経過後の時刻ｔ２までの４秒間に音声バッファメモリ２１に記憶された音声データを記録音声とする。４秒間は、上記スロー再生動画データの再生時間に合わせて決定される時間である。
【００３４】
−図２(b)の説明−
図２(b)は、スロー再生動画モード時の撮影処理において、記録用の音声データの取得予定終了時刻（上記時刻ｔ２）前に、次の撮影の指示（シャッターボタンの半押し操作）が行われる場合を説明する図である。図２(b)において、時刻ｔ０にシャッターボタンの半押し操作を示す半押し操作信号が入力される点と、時刻ｔ１にシャッターボタンの全押し操作を示す全押し操作信号が入力される点は、図２(a)の場合と同様である。
【００３５】
制御回路１８は、時刻ｔ０からレリーズ待機処理を開始させるとともに、音声バッファリングを開始させる。記録用の音声データの取得予定終了時刻（上記ｔ２）より前の時刻ｔ０Ａにおいて、次の撮影の操作であるシャッターボタンの半押し操作信号が入力されると、制御回路１８は、次の撮影用に新たなレリーズ待機処理を開始させるとともに、新たな音声バッファリングを開始させる。このとき、現在の撮影用に時刻ｔ０から行っていた音声バッファリングを時刻ｔ０Ａで終了させる。
【００３６】
制御回路１８は、時刻ｔ１の全押し操作に対応して、時刻ｔ１を挟む１．６秒間にフレームバッファメモリ１３に記憶された複数のフレーム画像に基づいて、再生時間が４秒間のスロー再生動画データを生成する。また、制御回路１８は、時刻ｔ１の全押し操作信号に応じて撮像素子１２で撮像され、フレームバッファメモリ１３の静止画用領域に記憶されているフレーム画像に基づいて静止画像データを生成する。
【００３７】
時刻ｔ０から行っていた音声バッファリングを時刻ｔ０Ａで終了する場合、図２(a)の場合に比べて記録音声の時間（４秒）が時間Ｘだけ短くなって不足する。そこで、制御回路１８は、音声バッファメモリ２１に記憶された音声データのうち、時刻ｔ０Ａから４秒間遡った音声データを記録音声とする。つまり、図２(a)の場合に比べて、記録音声の開始時点を時間Ｘだけ早め、時刻ｔ１より（第１所定時間＋時間Ｘ）前から時刻ｔ０Ａまでの４秒間に音声バッファメモリ２１に記憶された音声データを記録音声とする。上述したように、４秒間は上記スロー再生動画データの再生時間に合わせて決定される時間である。
【００３８】
時刻ｔ１Ａにおいてシャッターボタンの全押し操作を示す全押し操作信号が入力されると、制御回路１８は、次の撮影のレリーズ処理を開始させる。レリーズ処理では、全押し操作信号に応じて撮像素子１２で撮像されたフレーム画像をフレームバッファメモリ１３の静止画用領域に記憶させる。
【００３９】
制御回路１８はさらに、時刻ｔ１Ａ以後も撮像素子１２に６０ｆｐｓのフレームレートで被写体像を撮像させ、取得した画像データをフレームバッファメモリ１３の動画用領域に逐次記憶させる（ポストキャプチャ）。
【００４０】
制御回路１８は、時刻ｔ１Ａの全押し操作に対応して、時刻ｔ１Ａを挟む１．６秒間にフレームバッファメモリ１３に記憶された複数のフレーム画像に基づいて、再生時間が４秒間のスロー再生動画データを生成する。また、制御回路１８は、時刻ｔ１Ａの全押し操作信号に応じて撮像素子１２で撮像され、フレームバッファメモリ１３の静止画用領域に記憶されているフレーム画像に基づいて静止画像データを生成する。
【００４１】
制御回路１８はさらに、音声バッファメモリ２１に記憶された音声データのうち、時刻ｔ１Ａより第１所定時間（例えば１秒）前から時刻ｔ１Ａより第３所定時間（本例では３秒）経過後の時刻ｔ２Ａまでの４秒間に記憶された音声データを記録音声とする。上述したように、４秒間は上記スロー再生動画データの再生時間に合わせて決定される時間である。
【００４２】
以上図２(a)および図２(b)に例示した取得タイミングによれば、スロー再生動画像の元となるフレーム画像を取得（キャプチャ）するタイミングと略同時期に、スロー再生動画データの再生時間（４秒間）と略同じ長さで取得（録音）した音声を外部メモリ３０に記録するので、スロー再生動画のスロー再生時に行う音響再生に適した音声を記録できる。
【００４３】
また、記録用の音声データの取得予定終了時刻（上記ｔ２）より前の時刻ｔ０Ａにおいて次の撮影の操作であるシャッターボタンの半押し操作信号が入力された場合には、音声バッファメモリ２１に記憶された音声データのうち、時刻ｔ０Ａから４秒間遡った音声データを記録音声としたので、スロー再生動画のスロー再生時に行う音響再生に適した音声を、スロー再生時間（４秒間）に対して短くならないように記録できる。
【００４４】
＜フローチャートの説明＞
スロー再生動画モード時の撮影処理において制御回路１８が実行する処理の流れについて、図３に例示するフローチャートを参照して説明する。制御回路１８は、操作部材１７を構成するモード切り替えスイッチの操作によってスロー再生動画モードに切替えられると、図３による処理を開始させる。
【００４５】
図３のステップＳ１１において、制御回路１８は、シャッターボタンが半押し操作されたか否かを判定する。制御回路１８は、半押し操作が行われるとステップＳ１１を肯定判定してステップＳ１２へ進み、半押し操作が行われない場合はステップＳ１１を否定判定して半押し操作を待つ。
【００４６】
ステップＳ１２において、制御回路１８は、上述したプリキャプチャを開始させてステップＳ１３へ進む。ステップＳ１３において、制御回路１８は、上述した音声バッファリングを開始させてステップＳ１４へ進む。ステップＳ１４において、制御回路１８は、撮像素子１２で取得される画像信号に基づいて露出演算（ＡＥ）、フォーカス調節（ＡＦ）を行ってステップＳ１５へ進む。
【００４７】
ステップＳ１５において、制御回路１８は、シャッターボタンが全押し操作されたか否かを判定する。制御回路１８は、全押し操作が行われるとステップＳ１５を肯定判定してステップＳ１６へ進み、全押し操作が行われない場合はステップＳ１５を否定判定してステップＳ１４へ戻る。
【００４８】
ステップＳ１６において、制御回路１８は、撮像素子１２に静止画像を撮像させてステップＳ１７へ進む。静止画像データは、フレームバッファメモリ１３の静止画用領域に記憶される。ステップＳ１７において、制御回路１８は、上述したポストキャプチャを開始させてステップＳ１８へ進む。
【００４９】
ステップＳ１８において、制御回路１８は、シャッターボタンが半押し操作されたか否かを判定する。この半押し操作は、次の撮影のための操作である。制御回路１８は、半押し操作が行われるとステップＳ１８を肯定判定してステップＳ２１へ進み、半押し操作が行われない場合はステップＳ１８を否定判定してステップＳ１９へ進む。
【００５０】
ステップＳ２１において、制御回路１８は、全押し操作から所定時間が経過しているか否かを判定する。制御回路１８は、時刻ｔ１から第３所定時間（本例では３秒）が経過している場合にステップＳ２１を肯定判定してステップＳ２３へ進む。ステップＳ２１を肯定判定するのは、図２(a)の場合に対応する。制御回路１８は、時刻ｔ１から第３所定時間（本例では３秒）が経過していない場合には、ステップＳ２１を否定判定してステップＳ２２へ進む。ステップＳ２１を否定判定するのは、図２(b)の場合に対応する。
【００５１】
ステップＳ２２において、制御回路１８は、記録音声のタイミングを時間Ｘだけ早め、ステップＳ２３へ進む。ステップＳ２３において、制御回路１８は、上記再生時間が４秒間のスロー再生動画データと、静止画像データと、４秒間の音声データと、を外部メモリ３０に記録させてステップＳ１２へ戻る。ステップＳ１２へ戻る場合は、次の撮影に対して上述した処理を繰り返す。
【００５２】
ステップＳ１９を肯定判定して進むステップＳ２０において、制御回路１８は、上記再生時間が４秒間のスロー再生動画データと、静止画像データと、時刻ｔ１より第１所定時間前から時刻ｔ２までの４秒間の音声データと、を外部メモリ３０に記録させて図３による処理を終了する。
【００５３】
以上説明した実施形態によれば、次の作用効果が得られる。
（１）デジタルカメラは、撮影指示の前後で撮像された複数のフレーム画像を取得する撮像素子１２およびフレームバッファメモリ１３と、取得された複数のフレーム画像に基づいて動画像データを生成する制御回路１８と、動画像データに対応する音声を所定のタイミングで取得するマイク１９および音声バッファメモリ２１と、マイク１９および音声バッファメモリ２１によって所定のタイミングで取得される音声の取得期間が動画像データの再生時間より短い場合に、マイク１９および音声バッファメモリ２１により所定のタイミングと異なるタイミングで取得される音声を用いて動画像データに対応する音声を補う制御回路１８と、を備える。これにより、例えば次の撮影指示が行われることにより、当初予定されていた音声取得期間より音声取得の終期を早める場合でも、動画像の再生時間に応じた適切な長さの音声データを取得できる。
【００５４】
（２）制御回路１８は、撮像素子１２およびフレームバッファメモリ１３による取得時の第１フレームレートより低速の第２フレームレートで再生されるスローモーション動画像データを生成する。これにより、動画像の再生時間が、複数のフレーム画像の取得時間より長くなることから、複数のフレーム画像の取得を終了した後も音声を取得することが必須となる。このような場合には、音声取得中に次の撮影指示が行われる可能性が高くなるので、上記（１）の構成を備えることは、極めて有効である。
【００５５】
（３）制御回路１８は、撮影指示の第１所定時間前から撮影指示の第２所定時間後までの間に撮像素子１２およびフレームバッファメモリ１３で取得された複数のフレーム画像に基づいてスローモーション動画像データを生成する。これにより、撮影指示から第２所定時間（０．６秒）の後も音声を取得することが必須となる。このような場合には、音声取得中に次の撮影指示が行われる可能性が高くなるので、上記（１）の構成を備えることは、極めて有効である。
【００５６】
（４）マイク１９および音声バッファメモリ２１は、撮影指示の第１所定時間（１秒）前から撮影指示の第３所定時間（３秒）後までの間に音声を取得する。このため、撮影指示から第３所定時間（３秒）が経過する前に次の撮影指示が行われる場合は、当初予定されていた音声取得期間より音声取得の終期が早まるので、上記（１）の構成を備えることは、極めて有効である。
【００５７】
（５）制御回路１８は、撮影指示後の第３所定時間（３秒）が経過する前に次の撮影指示があった場合に、撮影指示の第１所定時間（１秒）前よりさらに前（時間Ｘ）から次の撮影指示があった時点までの間に音声を取得するように、マイク１９および音声バッファメモリ２１を制御するようにした。これにより、当初予定されていた音声取得期間より音声取得の終期が早まった時間Ｘだけ、当初予定されていた音声取得期間の始期を早めるので、動画像の再生時間に応じた適切な長さの音声データを取得できる。
【００５８】
（変形例１）
上述したフレームレートの値、上記第１所定時間（時刻ｔ１の前の１秒間）、第２所定時間（時刻ｔ１の後の０．６秒間）、第３所定時間（時刻ｔ１の後の３秒間）、およびスロー再生時間（４秒間）は、それぞれ適宜変更して構わない。
【００５９】
（変形例２）
上述した実施形態によれば、外部メモリ３０にはスロー再生動画のスロー再生時間（４秒間）と略同じ長さの音声データが記録される。しかしながら、スロー再生時間（４秒間）に対して記録音声の長さが不足している場合には、再生時において以下のように音響再生してもよい。
【００６０】
図４は、再生時において、スロー再生動画データの再生が指示された場合の再生タイミングを説明する図である。時刻ｔ０において、操作部材１７の操作によって再生指示が行われると、制御回路１８は、スロー再生動画データに基づいて４秒間のスロー動画再生表示を開始させる。制御回路１８はさらに、スロー再生動画データに関連付けられている音声データに基づいて音響再生を行わせる。ここで、音声データの再生時間が４秒に対して時間Ｘだけ短く不足する場合、制御回路１８は、異なる撮影指示に基づいて取得されたファイルであって、取得時刻が近い他ファイルに記録されている音声データの一部（時間Ｘ相当分）に基づいて音響再生させて、合わせて４秒間の音響再生を行わせる。
【００６１】
＜フローチャートの説明＞
再生時においてスロー動画再生する制御回路１８が実行する処理の流れについて、図５に例示するフローチャートを参照して説明する。制御回路１８は、操作部材１７を構成するモード切り替えスイッチの操作によって再生に切替えられると、図５による処理を開始させる。
【００６２】
図５のステップＳ５１において、制御回路１８は、スロー再生動画データが記録されている再生ファイルが指定されたか否かを判定する。制御回路１８は、操作部材１７によって再生ファイルの指定操作が行われるとステップＳ５１を肯定判定してステップＳ５２へ進み、再生ファイルの指定操作が行われない場合はステップＳ５１を否定判定して指定操作を待つ。
【００６３】
ステップＳ５２において、制御回路１８は、指定されたファイルのスロー再生動画データおよび音声データを読み出してステップＳ５３へ進む。ステップＳ５３において、制御回路１８は、記録音声が不足するか否かを判定する。制御回路１８は、音声データの再生時間がスロー再生時間（４秒間）に対して不足する場合、ステップＳ５３を肯定判定してステップＳ５４へ進む。制御回路１８は、音声データの再生時間がスロー再生時間（４秒間）に対して不足しない場合、ステップＳ５３を否定判定してステップＳ５５へ進む。
【００６４】
ステップＳ５４において、制御回路１８は、ステップＳ５１で指定されたファイルのデータが取得された時刻との間で取得時刻が最も近い他ファイルを外部メモリ３０から探し、このファイルの音声データの一部（時間Ｘ相当分）を読み出してステップＳ５５へ進む。
【００６５】
ステップＳ５５において、制御回路１８は、スロー再生動画データに基づくスロー動画再生指示をビデオ／オーディオエンコード／デコード部１６へ送り、ステップＳ５６へ進む。ステップＳ５５において、制御回路１８は、音声データに基づく音響再生指示をビデオ／オーディオエンコード／デコード部１６へ送り、ステップＳ５７へ進む。
【００６６】
ステップＳ５７において、制御回路１８は、ステップＳ５１で指定されたファイルと異なる他のファイルについて再生を行うか否かを判定する。制御回路１８は、操作部材１７によって他の再生ファイルの指定操作が行われた場合にステップＳ５７を肯定判定してステップＳ５２へ戻り、新たに指定されたファイルを対象に上述した処理を繰り返す。制御回路１８は、再生ファイルの指定操作が行われない場合には、ステップＳ５７を否定判定して図５による処理を終了する。
【００６７】
以上説明した変形例２によれば、ファイル内に記録されている音声データの長さがスロー再生時間（４秒間）に対して短く不足している場合でも、適切に音響再生を行える。
【００６８】
以上の説明はあくまで一例であり、上記の実施形態の構成に何ら限定されるものではない。
【符号の説明】
【００６９】
１１…撮像光学系
１２…撮像素子
１３…フレームバッファメモリ
１５…表示部
１６…ビデオ／オーディオエンコード／デコード部
１７…操作部材
１８…制御回路
１９…マイク
２１…音声バッファメモリ
２２…音声再生部
３０…外部メモリ
【図１】
2014239397.tif 000003
【図２】
2014239397.tif 000004
【図３】
2014239397.tif 000005
【図４】
2014239397.tif 000006
【図５】
2014239397.tif 000007